(57)【要約】      （修正有）【課題】  蓋の開放開始時に薄肉ヒンジ部の開閉方向を規制することができ、捻り力を支持して薄肉ヒンジ部が破損しないようにすることのできるヒンジ蓋付き容器を提供する。【解決手段】  薄肉ヒンジ部１５を介して本体部１３の周縁に開閉可能に連結された蓋１４を有するヒンジ蓋付き容器１０であって、少なくとも蓋の開放開始時に薄肉ヒンジ部による開放方向Ｘを規制する方向規制手段１６を薄肉ヒンジ部の内側に近接して本体部と蓋に備えており、方向規制手段は、本体部から延設して設けられ、蓋の開閉に伴って蓋との間で延在する延伸部１９と、蓋に設けられ、延伸部を当接させてこれとの幅方向の相対移動を規制する幅方向規制部１７とからなり、蓋の開放に追随して延伸部の幅方向規制部への当接状態を保持することにより、薄肉ヒンジ部による開放方向Ｘを規制する。【選択図】      図２
2006256621.tif 000002
【特許請求の範囲】
【請求項１】
薄肉ヒンジ部を介して本体部の周縁に開閉可能に連結された蓋を有するヒンジ蓋付き容器であって、
少なくとも前記蓋の開放開始時に前記薄肉ヒンジ部による開放方向を規制する方向規制手段を前記薄肉ヒンジ部の内側に近接して前記本体部と前記蓋に備えており、
前記方向規制手段は、前記本体部又は前記蓋のいずれか一方に設けられ、前記本体部と前記蓋との間で延在する延伸部と、前記本体部又は前記蓋の他方に設けられ、前記延伸部を当接させてこれとの幅方向の相対移動を規制する幅方向規制部とからなり、
前記蓋の開放に追随して前記延伸部の前記幅方向規制部への当接状態を保持することにより、前記薄肉ヒンジ部による開放方向を規制するヒンジ蓋付き容器。
【請求項２】
前記幅方向規制部は、前記蓋に設けられた枡状突起物からなり、前記延伸部は、前記本体部に設けられた弾性伸縮部と、前記枡状突起物による凹部に嵌め込まれる嵌込み突起物とからなる請求項１記載のヒンジ蓋付き容器。
【請求項３】
前記幅方向規制部は、前記薄肉ヒンジ部が設けられた周縁に沿った方向に所定の幅を有するように前記本体部に開口形成された挿入ガイド穴からなり、前記延伸部は、一端が前記蓋に取り付けられ、他端が前記挿入ガイド穴に挿入保持される、前記所定の幅と同様の幅を有するベルト部材からなる請求項１記載のヒンジ蓋付き容器。
【発明の詳細な説明】
【技術分野】
【０００１】
本発明は、ヒンジ蓋付き容器に関し、特に、薄肉ヒンジ部を介して本体部の周縁に開閉可能に連結された蓋を有するヒンジ蓋付き容器に関する。
【背景技術】
【０００２】
ヒンジ蓋付き容器は、上部が閉塞された容器本体による本体部の上端周縁や、容器本体の上部に装着されたキャップによる本体部の上端周縁に、薄肉ヒンジ部を介して開閉可能に蓋を連結している。
【０００３】
本体部に対して蓋が閉じている状態や、付勢手段によって蓋が本体部に近接するように付勢されている状態で、蓋の内側に設けた係合部を被係合部に係合することにより、キャップの容器本体への装着時に蓋に付加される捻り力や、落下時に蓋に負荷される衝撃力等を支持させて、薄肉のヒンジ部が破損するのを防止できるようにしたキャップが知られている（例えば、特許文献１参照）。
【特許文献１】特開２００１−２０６４１５号公報
【発明の開示】
【発明が解決しようとする課題】
【０００４】
このようなヒンジ蓋付き容器では、使用者が本来の開放方向とは異なる方向を蓋の開放方向と誤認して蓋を開くことによって、蓋の開放開始時に薄肉ヒンジ部に過度の捻り力が付加される場合がある。
【０００５】
従来のヒンジ蓋付き容器では、薄肉ヒンジ部の本来の開放方向とは異なる方向に蓋を開放した際に、過大な捻り力が薄肉ヒンジ部に付加されることになり、当該薄肉ヒンジ部が破損し易くなる。また特許文献１に記載の係合部を被係合部に係合させることによって薄肉ヒンジ部の破損を防止する手段では、本体部に対して蓋が閉じている状態や、付勢手段によって蓋が本体部に近接するように付勢されている状態では、捻り力や衝撃力等を効果的に支持することが可能であるが、使用者が蓋を開ける時に、薄肉ヒンジ部に付加される捻り力を十分に支持することは困難である。
【０００６】
本発明は、蓋の開放開始時に薄肉ヒンジ部が破損しないようにすることのできるヒンジ蓋付き容器を提供することを目的とする。
【課題を解決するための手段】
【０００７】
本発明は、薄肉ヒンジ部を介して本体部の周縁に開閉可能に連結された蓋を有するヒンジ蓋付き容器であって、少なくとも前記蓋の開放開始時に前記薄肉ヒンジ部による開放方向を規制する方向規制手段を前記薄肉ヒンジ部の内側に近接して前記本体部と前記蓋に備えており、前記方向規制手段は、前記本体部又は前記蓋のいずれか一方に設けられ、前記本体部と前記蓋との間で延在する延伸部と、前記本体部又は前記蓋の他方に設けられ、前記延伸部を当接させてこれとの幅方向の相対移動を規制する幅方向規制部とからなり、前記蓋の開放に追随して前記延伸部の前記幅方向規制部への当接状態を保持することにより、前記薄肉ヒンジ部による開放方向を規制するヒンジ蓋付き容器を提供することにより、上記目的を達成したものである。
【発明の効果】
【０００８】
本発明のヒンジ蓋付き容器によれば、蓋の開放開始時に、捻り力を効果的に支持して薄肉ヒンジ部が破損しないようにすることができる。
【発明を実施するための最良の形態】
【０００９】
本発明の好ましい第１実施形態に係るヒンジ蓋付き容器１０は、図１及び図２（ａ），（ｂ）に示すように、内部に例えばシャンプー等の液体洗剤を収容した容器本体１１の上部に、キャップ１２を装着することによって構成される。キャップ１２は、肩部１１ａや頭部１１ｂを含む容器本体１１の上端部分を覆って配置される本体部１３と、薄肉ヒンジ部１５を介してキャップ１２の本体部１３の周縁に開閉可能に連結される蓋１４とからなる。本第１実施形態では、容器本体１１の胴部１１ｃは、４方の側面１１ｄ及びこれらの側面１１ｄをつなぐ４箇所の角部１１ｅが滑らかに湾曲しながら連続する略４角形の外周断面形状を備えると共に、胴部１１ｃと連設するキャップ１２もまた、４方の側面１２ｄ及びこれらの側面１２ｄをつなぐ４箇所の角部１２ｅが滑らかに湾曲しながら連続する略４角形の外周断面形状を備えている。一方、キャップ１２の蓋１４は、例えば上部を斜めに面取りしたキャップ１２の一箇所の角部１２ｅ’において、本体部１３の上端周縁に薄肉ヒンジ部１５を介して連結されており、当該薄肉ヒンジ部１５が設けられた角部１２ｅ’と対角位置にある角部１２ｅに指を係止しつつ蓋１４の開放を行う方向が、薄肉ヒンジ部１５の本来の開放方向Ｘとなっている。
【００１０】
これに対し、略４角形の外周断面形状を備える本第１実施形態のヒンジ蓋付き容器１０では、4方の側面１１ｄ，１２ｄのうちの何れか一つの側面を容器１０の正面と認識し易く、当該正面と認識した側面１１ｄ，１２ｄに沿って指を上方にスライド移動させて、蓋１４を開放しようとする場合がある。このような場合、薄肉ヒンジ部１５には捻れ力が付加される。本第１実施形態では、後述する方向規制手段１６を備えることにより、特にスライド方向Ｙに沿った開放方向から、蓋１４が開くのに伴って薄肉ヒンジ部１５の本来の開放方向Ｘに誘導されてゆくまでの間、このような捻れ力を効果的に支持して、薄肉ヒンジ部１５が破損するのを回避できるようにするものである。
【００１１】
本第１実施形態のヒンジ蓋付き容器１０は、薄肉ヒンジ部１５を介してキャップ１２の本体部１３の上端周縁に開閉可能に連結された蓋１４を有する容器であって、図３及び図４にも示すように、少なくとも蓋１４の開放開始時に薄肉ヒンジ部１５による開放方向を規制する方向規制手段１６を薄肉ヒンジ部１５に近接して本体部１３と蓋１４に備えている。この方向規制手段１６は、本体部１３と蓋１４との間で延在するように本体部１３に設けられ、蓋１４の開閉に伴って当該蓋１４との間で伸縮する延伸部１９と、蓋１４に設けられ、延伸部１９を当接係止させてこれとの幅方向の相対移動を規制する幅方向規制部１７とからなり、蓋１４の開放に追随して延伸部１９を伸張させ、幅方向規制部１７への当接係止状態を保持することにより、薄肉ヒンジ部１５による開放方向Ｘを規制するようになっている。
【００１２】
本第１実施形態では、幅方向規制部１７は、蓋１４に設けられた枡状突起物３１からなり、延伸部１９は、本体部１３に設けられた弾性伸縮部３２ａと、枡状突起物１７による凹部１８に嵌め込まれる嵌込み突起物３２からなる。
【００１３】
本第１実施形態では、キャップ１２は、合成樹脂成形品であって、図２（ａ），（ｂ）に示すように、中空スカート状の本体部１３の天面板１３ａの中央部分から下方に突出する円筒状の雌ねじ部１３ｂを、容器本体１１の頭部１１ｂに設けられた雄ねじに螺合することにより、各側面１２ｄを容器本体１１の側面１１ｄに連続させた状態で（図1参照）、同じく合成樹脂成形品である容器本体１１の上端部分に取り付けられる。また本体部１３の天面板１３ａの中央には、容器本体１１の頭部１１ｂ及びキャップ１４の雌ねじ部１３ｂの内側に配置される注出口２０が開口形成されている。この注出口２０を介して、容器本体１１に収容された液体洗剤を注出できるようになっていると共に、この注出口２０には、蓋１４の中央から下方に突出する開閉ロッド２１が着脱可能に挿入係止されて、蓋１４の開閉操作に伴って注出口２０を開閉することができるようになっている。
【００１４】
蓋１４は、薄肉ヒンジ部１５を介在させて本体部１３と一体成形されることにより、本体部１３に対して開閉可能に連結した状態で形成される。蓋１４は、本体部１３と同様の一箇所の角部１２ｅ’が面取りされた略４角形の平面形状を備えると共に、上端周縁部が外側に迫り出すように形成されており、指を係止し易くして開閉操作を容易に行えるようになっている。また、薄肉ヒンジ部１５が設けられた角部１２ｅ’とは対角位置にある蓋１４の角部１２ｅには、上端周縁部の下側部分を凹ませて指掛け凹部２２が形成されており、薄肉ヒンジ部１５の本来の開放方向Ｘに蓋１４を開放させる正しい指の係止位置を案内している。さらに、蓋１４の下面側には、同心状に配置された開閉ロッド２１と支持円筒２３とが中央部分から下方に突出して設けられている。開閉ロッド２１は、注出口２０の内径と略同様の外径を有していると共に、その下端外周面に、注出口２０の内径よりも外径が僅かに大きくなった環状段差部２１ａを備えている。蓋１４の下端周縁部１４ａが本体部１３の上端周縁部１３ａに当接するまで蓋１４を閉塞した際に、開閉ロッド２１の環状段差部２１ａが、注出口２０を押し広げるように弾性変形させつつ注出口２０に挿入されて注出口２０の下端周縁に係止されることにより、蓋１４による本体部１３及び注出口２０の閉塞状態を、強固に保持できるようになっている。
【００１５】
キャップ１２の本体部１３と蓋１４とを連結する薄肉ヒンジ部１５は、薄肉ヒンジ部として公知のものであり、図３に示すように、中央が薄肉となっていることにより二つ折りに折り曲げ可能な一対の帯状部分２５によって構成されている。また薄肉ヒンジ部１５は、これらの平行に配置された一対の帯状部分２５の間に配置されて、本体部１３に対して蓋１４を開く側や閉じる側に付勢する付勢手段としての弾性片２４を備えており、いわゆるクリアテックヒンジ形式のヒンジ部となっている。
【００１６】
本第１実施形態では、蓋１４の開放開始時に薄肉ヒンジ部１５による開放方向を規制する方向規制手段１６は、蓋１４に設けられた枡状突起物３１による幅方向規制部１７と、本体部１３に設けられ、枡状突起物３１による凹部１８に嵌め込まれるように係合する嵌込み突起物３２による延伸部１９とからなる。幅方向規制部１７を構成する枡状突起物３１は、４方向を囲む側壁によって、矩形形状に開口すると共に相当の深さを備える凹部１８を形成する突起物である。本第１実施形態では、枡状突起物３１は、薄肉ヒンジ部１５が設けられる、蓋１４の面取りされた角部１２ｅ’の周壁２６を４方向の側壁の一部として、当該周壁２６の内側に配置された３方向を囲むコの字壁２７によって、薄肉ヒンジ部１５の内側に近接して設けられる。
【００１７】
延伸部１９を構成する嵌込み突起物３２は、薄肉ヒンジ部１５を挟んだ枡状突起物３１と対向する位置に、本体部１３の天面板１３ａから上方に突出する中空突起として薄肉ヒンジ部１５の内側に近接して設けられる。また、嵌込み突起物３２は、本体部１３の天面板１３ａに開口形成した矩形開口１３ｂに挿通配置されて当該天面板１３ａよりも下方で支持される（図２（ａ），（ｂ）参照）、蛇腹状の弾性伸縮部３２ａと連設しており、この弾性伸縮部３２ａの伸縮作用によって、蓋１４の開放に追随して上方に伸張できるようになっている。さらに、嵌込み突起物３２は、枡状突起物３１による凹部１８に相当の深さで嵌め込まれるのに十分な高さを備えると共に、枡状突起物３１による凹部１８の矩形形状の開口と略同様の平面形状を備えており、図４に示すように、例えば蓋１４を閉じた際に、外周面を凹部１８の内周面に沿わせつつ、枡状突起物３１による凹部１８に嵌め込まれるようにして係合されることになる。なお、嵌込み突起物３２は、薄肉ヒンジ部１５と離れる側の上面側縁部が切欠き面２８として斜めに切欠かれて面取りされていることにより、図３に示す開放状態から薄肉ヒンジ部１５を折り曲げて蓋１４を閉じる際に、コの字壁２７の先端が嵌込み突起物３２の上面側縁部に引っかかって蓋１４の回動が阻止されるのを効果的に回避することが可能になる（図２（ｂ）参照）。
【００１８】
そして、上述の構成を備える本第１実施形態のヒンジ蓋付き容器１０によれば、少なくとも蓋１４の開放開始時に薄肉ヒンジ部１５の開放方向を規制することができ、薄肉ヒンジ部１５の本来の開放方向Ｘに蓋１４が誘導されるまでの間、捻り力を効果的に支持して薄肉ヒンジ部１５が破損しないようにすることができる。すなわち、本第１実施形態によれば、弾性伸縮部３２ａを備えた嵌込み突起物３２による延伸部１９と、この延伸部１９を係止させて、即ち当接させてこれの幅方向への位置移動を規制する枡状突起物３１による幅方向規制部１７とからなる方向規制手段１６を備えているので、蓋１４の開放時に当該蓋１４の開放に追随して延伸部１９を伸張してゆくことにより、相当の開放角度領域に亘って幅方向規制部１７への延伸部１９の当接状態を保持することが可能になり、また薄肉ヒンジ部１５に付加される捻れ力を支持することが可能になる。これによって、薄肉ヒンジ部１５の本来の開放方向Ｘとは異なる方向Ｙを蓋１４の開放方向と認識して蓋１４が開かれる場合でも、誤った開放方向Ｙから、蓋１４が開くのに伴って薄肉ヒンジ部１５の本来の開放方向Ｘに誘導されてゆくまでの間、過大な捻り力が薄肉ヒンジ部１５に付加されるのを抑制して、当該薄肉ヒンジ部１５が破損しないように効果的に保護することが可能になる。
【００１９】
図５は、本発明の好ましい第２実施形態のヒンジ蓋付き容器１０’における方向規制手段１６’を示すものである。本第２実施形態では、ヒンジ蓋付き容器１０’は、上記第１実施形態のヒンジ蓋付き容器１０と略同様の構成を備えている他、方向規制手段１６’の幅方向規制部１７’は、本体部１３の薄肉ヒンジ部１５が設けられた周縁に沿った方向に所定の幅ｂ1を有するように当該本体部１３に開口形成された、挿入ガイド穴３３によって構成される。また方向規制手段１６’の延伸部１９’は、一端が蓋１４に取り付けられ、他端が挿入ガイド穴３３に挿入保持される、挿入ガイド穴３３の所定の幅ｂ1と同様の幅ｂ2を有するベルト部材３４によって構成される。
【００２０】
本第２実施形態では、本体部１３の天面板１３ａから上方に突出して中空の嵌込み突起物３２’が固定配置されており、この嵌込み突起物３２’の上面に、ベルト部材３４を挿通して摺動させるのに適するように予め設計された所定の幅ｂ1を有する、例えば矩形形状の挿入ガイド穴３３が開口形成されている。また、蓋１４の裏面に一端が接合固定されて、挿入ガイド穴３３の幅ｂ1よりも若干小さい幅のベルト部材３４が、薄肉ヒンジ部１５の中央を縦断するようにして、一対の帯状部分２５と平行に延設して取り付けられている。ベルト部材３４は、例えば、キャップの蓋１４  と同一部材からなり、長手方向の圧縮荷重を受けた際に容易に撓み変形可能な変形性を備えると共に、幅方向の圧縮荷重を受けても容易に撓み変形することなく当該圧縮荷重を支持可能な相当の保形剛性を備えている。またベルト部材３４は、その他端が嵌込み突起物３２’の中空内部に固定され、蓋１４が閉塞した状態では、嵌込み突起物３２’の中空内部で長手方向に折り曲げられた状態にまとめられて収納されている。蓋１４の開放時にベルト部材３４は、当該蓋１４の開放に追随して挿入ガイド穴３３から順次引き出されるようにして伸張してゆくと共に、挿入ガイド穴３３よって幅方向への相対的な位置移動を規制された係止状態に保持されることになる。
【００２１】
なお、本第２実施形態では、蓋１４の裏面における、ベルト部材３４が接合固定された部分を囲んで、嵌込み突起物３２’を嵌め込むための凹部１８’を形成する枡状突起物３１’が設けられている。この枡状突起物３１’に挿入ガイド穴３３が形成された嵌込み突起物３２’が係合することにより、蓋１４の開放開始の直後における薄肉ヒンジ部１５による開放方向Ｘを、より安定した状態で規制することが可能になる。
【００２２】
そして、本第２実施形態のヒンジ蓋付き容器１０’によっても、蓋１４の開放時に当該蓋１４の開放に追随して延伸部１９’としてのベルト部材３４が伸張してゆくことにより、幅方向規制部１７’への延伸部１９’の係止状態を容易に保持することが可能になり、上述の第１実施形態のヒンジ蓋付き容器１０と同様の作用効果が得られる。また本第２実施形態によれば、蓋１４が１８０度に近い広い角度で開放されるまで、安定した状態で薄肉ヒンジ部１５による開放方向を規制することが可能になる。さらに、本第２実施形態によれば、蓋１４の開放時のみならず、閉塞時においても、安定した状態で薄肉ヒンジ部１５による閉塞方向を規制することが可能になる。
【００２３】
なお、本発明は上記各実施形態に限定されることなく種々の変更が可能である。例えば、本発明のヒンジ蓋付き容器は、略４角形の外周断面形状を備える容器である必要は必ずしも無く、円形の外周断面形状等、その他の種々の形状を備える容器であっても良い。また、薄肉ヒンジ部の本来の開放方向を認識し難い容器である必要は必ずしも無く、薄肉ヒンジ部による開放方向が容易に判別可能な容器であっても、誤った方向に蓋が開放される場合もあることから、本発明のヒンジ蓋付き容器を好ましく採用することができる。さらに、薄肉ヒンジ部はクリアテックヒンジによるものである必要は必ずしもなく、容器に収容される収容物は、液体洗剤以外のその他の種々の収容物であっても良い。さらにまた、蓋は、キャップを介することなく上部が閉塞された容器本体を本体部として当該容器本体に直接連結されるものであっても良い。
【００２４】
また、上記第２実施形態のヒンジ蓋付き容器において、枡状突起物を設ける必要は必ずしもない。また嵌込み突起物を設けることなく、本体部の天面板に直接挿入ガイド穴を開口形成することもでき、挿入ガイド穴は、円形、長円形、楕円等、矩形形状以外の形状であっても良い。さらに、上記第１実施形態のヒンジ蓋付き容器において、嵌込み突起物の弾性伸縮部は、蛇腹状の弾性伸縮部の他、伸縮作用を備えるその他の種々の弾性伸縮部材によって構成することもできる。
【図面の簡単な説明】
【００２５】
【図１】本発明の好ましい第１実施形態に係るヒンジ蓋付き容器の斜視図である。
【図２】（ａ）は本発明の好ましい第１実施形態に係るヒンジ蓋付き容器の図１のＡ−Ａ線に沿った上部断面図、（ｂ）は蓋の開放開始時における図１のＡ−Ａ線に沿った上部断面図である。
【図３】本発明の好ましい第１実施形態に係るヒンジ蓋付き容器の要部を示す部分斜視図である。
【図４】図２（ａ）のＢ−Ｂ線に沿った断面図である。
【図５】本発明の好ましい第２実施形態に係るヒンジ蓋付き容器における方向規制手段の部分斜視図である。
【符号の説明】
【００２６】
１０，１０’  ヒンジ蓋付き容器
１１  容器本体
１２  キャップ
１３  キャップの本体部
１４  キャップの蓋
１５  薄肉ヒンジ部
１６，１６’  方向規制手段
１７，１７’  幅方向規制部
１８，１８’  枡状突起物による凹部
１９，１９’  伸縮係止部
２０  注出口
２１  開閉ロッド
２４  弾性片
２５  帯状部分
２６  蓋の周壁
２７  コの字壁
２８  切欠き面
３１，３１’  枡状突起物
３２，３２’  嵌込み突起物
３２ａ  弾性伸縮部
３３  挿入ガイド穴
３４  ベルト部材
ｂ1  挿入ガイド穴の所定の幅
ｂ2  ベルト部材の幅
Ｘ    薄肉ヒンジ部の本来の開放方向
Ｙ    薄肉ヒンジ部の本来の開放方向と異なる開放方向
【図１】
2006256621.tif 000003
【図２】
2006256621.tif 000004
【図３】
2006256621.tif 000005
【図４】
2006256621.tif 000006
【図５】
2006256621.tif 000007